(57)【特許請求の範囲】
【請求項１】
交流電動機を可変速駆動するインバータのためのインバータ用操作パネルにおいて、
前記インバータの運転状態を示す周波数，電流，電圧，トルク演算値，回転数，ライン速度を含む各項目を表示するＬＥＤと、前記各項目の単位をＬＣＤマーカにより表示するＬＣＤと、前記ＬＣＤマーカを移動させる操作キーとを備え、
前記ＬＣＤマーカが示す単位の項目を前記ＬＥＤに表示することを特徴とするインバータ用操作パネル。
【請求項２】
前記インバータの動作状態を示す正転，逆転，停止，端子台運転，操作パネル運転を含む各項目を、ＬＣＤマーカを用いて表示することを特徴とする請求項１に記載のインバータ用操作パネル。
【請求項３】
次に操作可能なキー操作案内項目を、表示画面の一部に自動的に繰り返し表示可能にしたことを特徴とする請求項１または２に記載のインバータ用操作パネル。
【請求項４】
前記インバータの機能を選択するパラメータを変更したときは、変更したパラメータデータのみを選択して表示し、その選択表示画面上でのデータ変更も可能にしたことを特徴とする請求項１または２に記載のインバータ用操作パネル。
【発明の詳細な説明】
【０００１】
【発明の属する技術分野】
この発明は、交流電動機を可変速駆動するためのインバータの運転状態（周波数，電流，電圧，回転数）の表示や、パラメータ変更等の操作を行なう操作パネルに関する。
【０００２】
【従来の技術】
従来、この種の操作パネルで単位を表示する手段としては、例えば表面パネルに記された単位の横に設置されているＬＥＤ（発光ダイオード）によって行なうのが一般的である。
【０００３】
また、この種の操作パネルで、次に操作可能な操作キーの案内表示手段としては、例えば通常のインバータ運転を行なう画面と、パラメータデータ変更画面に一部のキー操作の案内を表示しているだけで、他のキー操作の案内は操作マニュアルにより行なうのが普通である。
【０００４】
さらに、変更されたパラメータデータの表示手段としては、例えば全てのパラメータを表示して、その中で変更されたデータにのみ印を付けて行なうようにしているのが一般的である。
【０００５】
【発明が解決しようとする課題】
上記従来方法では、単位を表示するためにＬＥＤが必要になる、また、次に操作可能な操作キーの案内のために操作マニュアルが必要になる、さらには、変更されたパラメータデータを全パラメータデータから検索する必要がある、などの問題がある。
【０００６】
したがって、この発明の課題はＬＥＤや操作マニュアルを不要とし、変更されたパラメータデータを分かり易く表示できるようにすることにある。
【０００７】
【課題を解決するための手段】
このような課題を解決すべく、請求項１の発明では、交流電動機を可変速駆動するインバータのためのインバータ用操作パネルにおいて、
前記インバータの運転状態を示す周波数，電流，電圧，トルク演算値，回転数，ライン速度を含む各項目を表示するＬＥＤと、前記各項目の単位をＬＣＤマーカにより表示するＬＣＤと、前記ＬＣＤマーカを移動させる操作キーとを備え、
前記ＬＣＤマーカが示す単位の項目を前記ＬＥＤに表示することを特徴とする。
【０００８】
上記請求項１の発明においては、前記インバータの動作状態を示す正転，逆転，停止，端子台運転，操作パネル運転を含む各項目を、ＬＣＤマーカを用いて表示することができる（請求項２の発明）。
上記請求項１または２の発明においては、次に操作可能なキー操作案内項目を、表示画面の一部に自動的に繰り返し表示可能にすることができ（請求項３の発明）、または、前記インバータの機能を選択するパラメータを変更したときは、変更したパラメータデータのみを選択して表示し、その選択表示画面上でのデータ変更も可能にすることができる（請求項４の発明）。
【０００９】
【発明の実施の形態】
図１はこの発明の第１の実施の形態を示す構成図である。
【００１０】
同図において、１はインバータ、２は操作パネル、３はデータ表示用ＬＥＤ、４は液晶表示素子（ＬＣＤ）、５は操作キー、６は単位表示印刷文字、７は単位表示ＬＣＤマーカ、８は動作状態表示印刷文字、９は動作状態表示ＬＣＤマーカを示す。
【００１１】
ここで、単位表示印刷文字６はデータ表示用ＬＥＤ３が表示する数字の単位を表わすものであり、Ｈｚは周波数、Ａは電流、％はトルク演算値、ｒ／ｍｉｎはモータの回転数、ｍ／ｍｉｎはライン速度、ＫＷは電力を表わしており、×１０，×１００はデータ表示用ＬＥＤ３が表示する数字の倍率を表わす。
【００１２】
動作状態表示印刷文字８はインバータの動作状態を表わすものであり、ＦＷＤは正転運転状態、ＲＥＶは逆転運転状態、ＳＴＯＰは停止状態、ＲＥＭはインバータの端子台からの運転指令、ＬＯＣは操作パネルからの運転指令、ＣＯＭＭは通信経由での運転指令、ＪＯＧはジョギング運転モード（操作パネル２のＦＷＤ，ＲＥＶキーのＯＮ時のみ少しずつ回転させる機能）を表わす。
【００１３】
いま、操作キーを操作してインバータの運転状態（周波数，電流，電圧，トルク演算値，回転数，ライン速度など）をＬＥＤ３に表示させるとき、その運転状態の各項目に対応する単位を表示するには、所定のキー（例えばＦＵＮＣ／ＤＡＴＡキー）を操作してＬＣＤマーカ７を移動させ、操作者が見たい項目に単位が印刷されている印刷文字６の単位表示ＬＣＤマーカ７を選択して表示する。
【００１４】
また、インバータの動作状態（正転，逆転，停止，端子台運転，操作パネル運転等）は、印刷文字８のＬＣＤマーカ９により表示して、現在インバータがどのような動作状態にあるのかを表示する。
次に、インバータの動作状態が、図２（ａ）に示すようにＬＣＤ４の画面が例えば停止（ＳＴＯＰ）の状態にあるときに、所定のキー（例えば操作キーのＰＲＧ）を操作して図２（ａ）の画面から図２（ｂ）の画面に切り換えたとき、図２（ｂ）の如く操作メニュー４ａをＬＣＤ４の上側に表示するとともに、例えばＬＣＤ画面の下部に、次に操作可能なキー操作項目４ｂが表示される。この項目は、図２（ｃ）〜（ｇ）のように自動的に繰り返し（サイクリックに）表示され、最後まで表示した後は、再び最初に戻って表示が行なわれる。
【００１５】
これにより、操作者はＬＣＤ画面の下部にサイクリックに表示されるキー操作項目４ｂを見ながら操作キー５を操作して、データの設定やデータの確認等を行なうことができる。
【００１６】
パラメータデータの変更方法について、図３を参照して説明する。
【００１７】
所定のキー操作によって図１のＬＣＤ４にパラメータ一覧を、図３（ａ）のように表示し、その中の１つのパラメータデータを選択する（図３では、“Ｆ００Ｓシュウハスウセッテイ”が選択されている）。これにより、図３（ｂ）のようにパラメータデータ変更画面に切り換えられるので、例えば６０．００Ｈｚから５０．００Ｈｚに変更する（図３（ｃ）参照）。他のパラメータデータを変更しないときはこれで終わりであるが、変更するときはパラメータ一覧を、図３（ｅ）のように表示し、その中のパラメータデータを選択する（ここでは、“Ｆ０２サイコウＨｚが選択されている）。ここで、所定のキー操作をすることにより、図３（ｆ）のように変更したパラメータ項目を一覧表示することができ、この一覧表示された画面でも図３（ｇ），（ｈ）のように、そのパラメータデータの変更が可能である。
【００１８】
【発明の効果】
この発明によれば、
１）単位表示のためのＬＥＤを省略でき、コストダウンが可能となる。
【００１９】
２）操作パネルの操作に習熟していなくとも、または、操作マニュアルを参照することもなく、次に行なうべきキー操作を知ることができる。
【００２０】
３）変更したパラメータを検索作業なしですばやく判別できる。
などの利点が得られる。
【図面の簡単な説明】
【図１】この発明の第１の実施の形態を示す構成図である。
【図２】この発明の第２の実施の形態を説明するための説明図である。
【図３】この発明の第３の実施の形態を説明するための説明図である。
【符号の説明】
１…インバータ、２…操作パネル、３…データ表示用ＬＥＤ、４…ＬＣＤ（液晶表示素子、５…操作キー、６…単位表示印刷文字、７…単位表示ＬＣＤマーカ、８…動作状態表示印刷文字、９…動作状態表示ＬＣＤマーカ。
【図１】
0003690566.tif 000002
【図２】
0003690566.tif 000003
【図３】
0003690566.tif 000004